(57)【特許請求の範囲】
【請求項１】
着信時、留守番機能が設定されていると、相手に希望の対処法を選択させる応答メッセージを相手側に送出する第１の手段と、
前記応答メッセージに応じて相手側から希望する対処法に対応する情報が得られると、その情報に基づき、相手側の希望する対処法に対応する動作状態に設定する第2の手段とを具備し、
相手側からの情報に応じて、呼び出しを続ける動作状態が選択された場合で、着信側が所定時間電話にでない場合には、電話にでないことを告げるメッセージを相手側に送出して終話することを特徴とする電話機。
【請求項２】
請求項１に記載の電話機において、
相手側から希望する対処法に対応する情報が所定時間ない場合には、掛け直しを告げるメッセージを相手側に送出して終話することを特徴とする電話機。
【請求項３】
各動作状態は各数字キーに対応し、動作状態を選択する相手側からの情報は各数字キーのＤＴＭＦ信号で得られることを特徴とする請求項１に記載の電話機。
【請求項４】
各動作状態は各数字キーに対応し、相手側端末間とで通話以外の付加情報として、データでやりとりができることを特徴とする請求項１に記載の電話機。
【発明の詳細な説明】
【０００１】
【発明の属する技術分野】
本発明は移動体通信端末などの電話機に係り、特に留守番機能に関する。
【０００２】
【従来の技術】
移動体通信端末等の留守番機能は、留守番センタによるものと、端末自体が留守番機能を持ち端末の内部で音声データを格納する方法が一般的である。前者は、使用者が圏外時などに接続される。後者の方は、使用者が電車の中や会議中等の理由で電話に一時的にでられないときによく使用される。
【０００３】
留守番機能は、留守番設定を予めしておく、または着信時に操作することにより相手に音声メッセージが流れ、録音をする場合はその後に決められた秒数で留守番録音をするのが一般的である。つまり、電話をかけた相手側は音声でのみ自分の意志を伝えることしかできず、また、情報がリアルタイムに伝わらない機能となっている。
【０００４】
【発明が解決しようとする課題】
従来技術では、実際にこの機能を使用した場合、メッセージを入れずに電話を切ってしまう人が多い。これは相手側が大した用事でない場合に録音までする必要がないと判断したときか、相手側の心理として応答がないものに喋りかけることの恥ずかしさからくるものが多分にある。また、逆に緊急の場合などは会議中などでも応答してもらいたいことがあるが、使用者は会議が終わるまでメッセージを聞かず連絡が遅れてしまう等のことがあり、非常に不便であった。
【０００５】
本発明は上記の点に鑑みなされたもので、非常に使い勝手がよい留守番機能を有する電話機を提供することを目的とする。
【０００６】
【課題を解決するための手段】
本発明の電話機は、着信時、留守番機能が設定されていると、相手に希望の対処法を選択させる応答メッセージを相手側に送出する第１の手段と、前記応答メッセージに応じて相手側から希望する対処法に対応する情報が得られると、その情報に基づき、相手側の希望する対処法に対応する動作状態に設定する第2の手段とを具備し、相手側からの情報に応じて、呼び出しを続ける動作状態が選択された場合で、着信側が所定時間電話にでない場合には、電話にでないことを告げるメッセージを相手側に送出して終話することを特徴とする。
【０００７】
上記電話機において、相手側から希望する対処法に対応する情報が所定時間ない場合には、掛け直しを告げるメッセージを相手側に送出して終話することが好ましい。また、各動作状態は各数字キーに対応し、動作状態を選択する相手側からの情報は各数字キーのＤＴＭＦ信号で得ることができる。さらに、各動作状態は各数字キーに対応し、相手側端末間とで通話以外の付加情報として、データでやりとりができる。
【０００８】
【発明の実施の形態】
次に添付図面を参照して本発明による電話機の実施の形態を詳細に説明する。図３は本発明の実施の形態としての移動体通信端末を示すブロック図である。この図において、1は端末全体を制御するマイクロコンピュータ（ＣＰＵ）であり、このＣＰＵ１にはデジタル信号処理回路（ＤＳＰ）４、ＤＴＭＦエンコーダ／デコーダ（以下単にＤＴＭＦという）５、メッセージ再録回路９、メモリ１０、表示部１１、キー入力部１２、リンガ１３、バイブレータ１４、ＬＥＤ１５が接続される。メモリ１０はＲＯＭとＲＡＭを有し、ＣＰＵ１の動作処理手順を規定するプログラム、演算データ、入力データ、受信データ等を記憶する。キー入力部１２は、電話番号の入力や各種動作モードの設定等を行う。表示部１１はＬＣＤからなり、各種の情報、電話機の状態等を表示する。リンガ１３は着信時に鳴動して着信を使用者に知らせる。バイブレータ１４は、着信時や、発呼時の相手応答あるいは非応答時等に振動し、それらを使用者に知らせる。ＬＥＤ１５は着信時点滅して視覚で着信を使用者に知らせる。
【０００９】
ＤＳＰ４は、アンテナ２で受信されＲＦ回路３で周波数変換等がされたＲＦ信号をデジタル信号処理して復調信号を発生させる一方、入力信号をデジタル信号処理して送信信号を発生させＲＦ回路３を介してアンテナ２に供給する。ＤＴＭＦ５は、ＤＳＰ４の出力信号を受けてＤＴＭＦ信号をデコードし、そのデコード結果はＣＰＵ１に送られる。メッセージ再録回路９は予め応答メッセージが録音され、この応答メッセージは再生されるとＤＳＰ４に供給される。また、メッセージ再録回路９は、ＤＳＰ４の出力を受けて相手側からのメッセージを録音する。音声回路６は、ＤＳＰ４からＤＴＭＦ５を介して得られた音声信号を増幅してスピーカ７に供給し音声として再生するとともに、マイク８から入力された音声信号を増幅してＤＴＭＦ５を介してＤＳＰ４に供給する。なお、ＤＴＭＦ５とメッセージ再録回路９はＤＳＰ４内に取り込むこともできる。
【００１０】
上記のような移動体通信端末においては、着信時、留守番機能が設定されていると、相手に希望の対処法を選択させる応答メッセージを相手側に送出し、その応答メッセージに応じて相手側から希望する対処法に対応する情報が得られると、その情報に基づき、相手側の希望する対処法に対応する動作状態に設定される。以上のような動作を図１のフローチャートを参照して以下詳述する。なお、相手からの情報は各数字キーに対応するＤＴＭＦ信号で得られる。
【００１１】
図１のステップS１で着信があると、ステップＳ２で留守番機能が設定されているか判断される。そして、もし留守番機能が設定されていなければ、ステップS３の通常の着信処理となる。一方、ステップＳ２で留守番機能が設定されていると判断されると、ステップＳ４に進んで応答ガイダンス（応答メッセージ）がメッセージ再録回路９から再生され、相手側に送出される。
【００１２】
ここで、応答ガイダンスとしては、図２に示すように「緊急でこのまま呼び出ししたい方は１を押して下さい。折り返し電話がほしい方は2を押して下さい。後ほど電話をいただける方は３を押して下さい。相手に対して音声メッセージ又は文字メッセージを入れたい方は４を押して下さい。」というメッセージが送出される。したがって、相手側はこの応答ガイダンスを聞いて、希望する対処法に一致する数字キーを押下し、その数字のＤＴＭＦ信号を着信側に返送する。
【００１３】
したがって、着信側は、前記応答ガイダンスの送出後、相手側からのＤＴＭＦ信号の入力を待ち(ステップＳ４)、ＤＴＭＦ信号の入力有りの判断（ステップＳ５）と、ＤＴＭＦ信号のデコード（ステップＳ６〜Ｓ９）とをリトライ回数（ｎ）だけ繰り返す（ステップＳ１０）。そして、このリトライ回数の時間内にＤＴＭＦ信号の入力がないと判断されると、ステップS１１に進んで「お掛け直し下さい」というメッセージを相手側に送出し、ステップＳ１２の終話となる。また、リトライ回数の時間内であっても、ＤＴＭＦ信号の入力がなく、設定した時間を越えると（ステップＳ１３）、「お掛け直し下さい」のメッセージを相手側に送出して（ステップＳ１４）、ステップＳ１５の終話となる。
【００１４】
一方、リトライ回数の時間内、または設定した時間内に相手側からＤＴＭＦ信号の入力が有ると（ステップＳ５）、そのＤＴＭＦ信号のデコードがＤＴＭＦ５で行われ（ステップＳ６〜Ｓ９）、その結果に応じた動作状態となる。いま、デコード結果がステップS６で示すように数字の１の場合（相手側は、緊急でこのまま呼び出すことを希望）は、表示部１１に「電話にでて下さい」とメッセージを表示し（ステップＳ１６）、さらにリンガ１３、バイブレータ１４、ＬＥＤ１５を再度呼び出し状態にする（ステップＳ１７）。なお、この動作は事前の設定により変えることができる。例えば、マナーモード中は、リンガ１３による呼び出し音は鳴らさないようにする。そして、このような呼び出しに対して使用者が応答すれば、ステップＳ１９の着信となる。一方、このような呼び出しにも係わらず、使用者がキー押下で着信拒否をすれば、あるいはタイムアウトになれば（ステップＳ１８）、「でられません」と相手側にメッセージを送出し（ステップＳ２０）、ステップＳ２１の終話となる。ここで、「でられません」に代えて「お掛け直し下さい」のメッセージを相手側に送出することもでき、これらメッセージは自動あるいは予め決めておいたキー押下のいずれかで相手方に送出される。
【００１５】
ＤＴＭＦ信号のデコード結果がステップＳ７で示すように数字の２の場合（相手側は、折り返し電話がほしいことを希望）は、表示部１１に「電話下さい」のメッセージを表示し(ステップＳ２２)、ステップS２３の終話となる。
【００１６】
ＤＴＭＦ信号のデコード結果がステップＳ８で示すように数字の３の場合（相手側は、再度電話することを希望）は、表示部１１に「電話します」のメッセージを表示し(ステップＳ２４)、ステップS２５の終話となる。
【００１７】
ＤＴＭＦ信号のデコード結果がステップＳ９で示すように数字の４の場合（相手側は、メッセージを録音すること、あるいはメッセージを送信することを希望）は、表示部１１に「録音中」又は「メッセージ作成中」と表示すると同時に相手側からのメッセージをメッセージ再録回路９に録音、あるいは相手側からのメッセージをメモリ１０に記憶し（ステップＳ２７）、録音あるいは送信終了でステップS２８の終話となる。
【００１８】
以上のように上記の移動体通信端末によれば、数字キー「２」、「３」に対応する「折り返し電話がほしいことを表示部に表示させる」、「再度電話することを表示部に表示させる」動作状態を選択することにより、電話をかけた相手はわざわざメッセージを残すことなく意志を相手に伝えることができる。また、数字キー「１」に対応する「呼び出しを続ける」動作状態を選択すれば、どうしても電話にでてもらいたい緊急時などにも意志を伝えられる。さらに、電話を受ける側でも、自分の状況（会議中、運転中等）と、相手の伝えてきた情報により再度電話をかける等の行動をとることができ、留守番機能を有効活用できる。すなわち、上記移動体通信端末によれば、非常に使い勝手がよい留守番機能を得ることができる。
【００１９】
なお、上記の実施の形態では、相手側の希望する対処法に対応する情報をＤＴＭＦ信号で受信し、端末内部でＤＴＭＦ信号をデコードしたが、基地局内でＤＴＭＦ信号のデコードを行ってもよい。その場合、端末には通話以外のデータとして前記情報が伝達される。また、移動体通信端末同士の場合は、ＤＴＭＦ信号を用いず、データのやりとりで情報を伝達してもよい。さらに、上記の実施の形態は、本発明を移動体通信端末に利用した場合であるが、本発明の留守番機能は家庭用の固定電話機にも勿論応用できる。
【００２０】
【発明の効果】
以上詳細に説明したように本発明の電話機によれば、留守番機能の使い勝手を格段に向上させることができる。
【図面の簡単な説明】
【図１】本発明の実施の形態による動作を示すフローチャート。
【図２】本発明の実施の形態で使用される応答ガイダンスを示す図。
【図３】本発明の電話機の実施の形態を示すブロック図。
【符号の説明】
１  ＣＰＵ
５  ＤＴＭＦエンコーダ／デコーダ
９  メッセージ再録回路
１１  表示部
１２  キー入力部
１３  リンガ
１４  バイブレータ
１５  ＬＥＤ
【図１】
0003696032.tif 000002
【図２】
0003696032.tif 000003
【図３】
0003696032.tif 000004